(57)【要約】      （修正有）【課題】工事現場の作業スペースを広く確保出来、且つ、表示板の移動・設置がスムーズに出来、且つ、通行車両から良く見えて安全が確保出来る昇降式車載表示板装置を提供する。【解決手段】車両本体の荷台に搭載され、表示板１と、該表示板を収納する収納室２と、駆動手段３ａ〜３ｃからなる表示板装置であって、注意喚起を促す文字や記号等を表示する表示板１は、使用時には収納室２より上昇して設け、不用時には収納室２内に収納するよう設け、表示板１を昇降させる駆動手段３ａ〜３ｃは、収納室２内に設けた。表示板１の上端には、収納室２を覆う蓋体４を設け、表示板１が降下した場合、収納室２の上面を閉塞するよう構成した。【選択図】図１
0003198659.tif 000002
【実用新案登録請求の範囲】
【請求項１】
車両本体（Ｘ）の荷台に搭載され、表示板（１）と、該表示板を収納する収納室（２）と、駆動手段（３）からなる表示板装置であって、注意喚起を促す文字や記号等を表示する表示板（１）は、使用時には収納室（２）より上昇して設け、不用時には収納室（２）内に収納するよう設け、該表示板（１）を昇降させる駆動手段（３）は、収納室（２）内に設けたことを特徴とする昇降式車載表示板装置。
【請求項２】
表示板（１）の上端には、収納室（２）を覆う蓋体（４）を設け、表示板（１）が降下した場合、収納室（２）の上面を閉塞するよう構成したことを特徴とする請求項１記載の昇降式車載表示板装置。
【請求項３】
前記駆動手段（３）は、交叉して設けた２本のバー本体（３ａ）（３ｂ）と、動力源（３ｃ）からなり、バー本体（３ａ）（３ｂ）は、それぞれ長さ方向の中途に設けた軸（５）で回動可能に軸着され、一のバー本体（３ａ）の一端（Ａ）は、収納室（２）底部に設けた水平ガイド（６）内を移動可能に軸支して設け、他端（Ｂ）は表示板（１）底部の一端に設けたブラケット（７）部に軸着され、二のバー本体（３ｂ）の一端（Ｃ）は、表示板（１）の下端の一端に位置し、固定されたコ字状スライダーガイド（８）の水平ガイド（８'）に移動可能に軸支して設け、他端は収納部底部・他端に軸着され、シリンダーである動力源（３ｃ）は、その一端を、一のバー本体（３ａ）の一端部に設けたブラケット（７'）部に軸支し、他端を、二のバー本体（３ｂ）における他端（Ｄ）と、軸（５）との、ほぼ中途に軸着したことを特徴とする請求項１記載の昇降式車載表示板装置。
【考案の詳細な説明】
【技術分野】
【０００１】
この考案は、貨物車両等に搭載して注意を喚起する昇降式車載表示板装置に関するものである。
【背景技術】
【０００２】
従来、道路工事等で使用する安全用の表示板は、トラック等の貨物車両に搭載して現場まで運搬し、工事現場の道路に、その都度設置していた。
【０００３】
その為、実質的な工事以外の労作業を必要とし、又、工事中等の表示板が設置してあるスペースが作業の邪魔になるだけでなく、移動するたびに表示板の移動が必要となり、作業効率そのものを悪くするといった欠点があった。
【０００４】
そこで、作業効率が良く、工事現場の作業スペースが広く確保出来、且つ、工事現場の移動もスムーズに出来、更に、どこからでも良く見えて通行車両の安全確保が可能な注意喚起用の昇降式車載表示板装置の早期開発が求められていた。
【先行技術文献】
【特許文献】
【０００５】
【特許文献１】特開２００３−２６７１２７
【０００６】
上記、特許文献１は車両の後部適位置に文字又は、図形で謝意を表示できる、文字及び図形表示版を内蔵する車両用謝意表示灯を設置したものである。
【考案の開示】
【考案が解決しようとする課題】
【０００７】
そこで、上記課題を解決する為に、この考案は工事現場の作業スペースを広く確保出来、且つ、表示板の移動・設置がスムーズに出来、且つ、通行車両から良く見えて安全が確保出来る昇降式車載表示板装置を早期開発・提供する事にある。
【課題を解決するための手段】
【０００８】
この課題を解決するための手段として、注意喚起を促す文字や記号等を表示する表示板は、使用時には収納室より上昇して設け、不用時には収納室内に収納するよう設け、該表示板を昇降させる駆動手段は、収納室内に設けたものである。
【０００９】
又、表示板の上端には、収納室を覆う蓋体を設け、表示板が降下した場合、収納室の上面を閉塞するよう構成したものである。
【００１０】
又、前記駆動手段は、交叉して設けた２本のバー本体と、動力源からなり、バー本体は、それぞれ長さ方向の中途に設けた軸で回動可能に軸着され、一のバー本体の一端は、収納室底部に設けた水平ガイド内を移動可能に軸支して設け、他端は表示板底部の一端に設けたブラケット部に軸着され、二のバー本体の一端は、表示板の下端の一端に位置し、固定されたコ字状スライダーガイドの水平ガイドに移動可能に軸支して設け、他端は収納部底部・他端に軸着され、シリンダーである動力源は、その一端を、一のバー本体の一端部に設けたブラケット部に軸支し、他端を、二のバー本体における他端と、軸との、ほぼ中途に軸着したものである。
【考案の効果】
【００１１】
この考案の効果として、上下移動が可能で、且つ、未使用時には収納室に収納可能な表示板を車両に搭載する事で、表示板の設置時間及び撤去時間が短縮できる為、作業効率が良くなり、且つ、車両に搭載することで工事現場の作業スペースが広く確保出来、且つ、工事現場の移動もスムーズに出来、更に、どこからでも良く見えて通行車両の安全を確保する等、作業性・経済性・安全性面からみて、極めて有益なる効果を奏するものである。
【図面の簡単な説明】
【００１２】
【図１】この考案の一実施例を示し、（Ａ）は平面図で、（Ｂ）は正面図である。
【図２】この考案の一実施例を示し、表示板上昇時の正面図である。
【図３】この考案の一実施例を示し、表示板下降時の正面図である。
【図４】この考案の一実施例を示し、表示板の一部欠截右側面図である。
【図５】この考案の一実施例を示し、油圧シリンダーの正面図である。
【図６】この考案の使用例を示し、表示板上昇時の右後方斜視図である。
【図７】この考案の使用例を示し、表示板下降時の右後方斜視図である。
【考案を実施するための形態】
【００１３】
この考案を実施するための形態として、車両本体（Ｘ）の荷台に搭載され、表示板（１）と、該表示板を収納する収納室（２）と、駆動手段（３）からなる表示板装置であって、注意喚起を促す文字や記号等を表示する表示板（１）は、使用時には収納室（２）より上昇して設け、不用時には収納室（２）内に収納するよう設け、該表示板（１）を昇降させる駆動手段（３）は、収納室（２）内に設けたことを特徴とする昇降式車載表示板装置から構成される。
【００１４】
表示板（１）の上端には、収納室（２）を覆う蓋体（４）を設け、表示板（１）が降下した場合、収納室（２）の上面を閉塞するよう構成したことを特徴とする昇降式車載表示板装置から構成される。
【００１５】
前記駆動手段（３）は、交叉して設けた２本のバー本体（３ａ）（３ｂ）と、動力源（３ｃ）からなり、バー本体（３ａ）（３ｂ）は、それぞれ長さ方向の中途に設けた軸（５）で回動可能に軸着され、一のバー本体（３ａ）の一端（Ａ）は、収納室（２）底部に設けた水平ガイド（６）内を移動可能に軸支して設け、他端（Ｂ）は表示板（１）底部の一端に設けたブラケット（７）部に軸着され、二のバー本体（３ｂ）の一端（Ｃ）は、表示板（１）の下端の一端に位置し、固定されたコ字状スライダーガイド（８）の水平ガイド（８'）に移動可能に軸支して設け、他端は収納部底部・他端に軸着され、シリンダーである動力源（３ｃ）は、その一端を、一のバー本体（３ａ）の一端部に設けたブラケット（７'）部に軸支し、他端を、二のバー本体（３ｂ）における他端（Ｄ）と軸（５）との、ほぼ中途に軸着したことを特徴とする昇降式車載表示板装置から構成される。
【実施例１】
【００１６】
そこで、この考案の一実施例を図１〜図５に基づいて詳述すると、まず、図１(Ａ)は本装置の平面図で、図1（Ｂ）は本装置の正面図である。そして、本装置は主として、表示板（１）と、該表示板を収納する収納室（２）と、表示板を上下方向に昇降移動させるための駆動手段（３）と、該駆動手段である２本のバー本体（３ａ）（３ｂ）のそれぞれの一端と他端に軸着して設けた動力源（３ｃ）から構成される。
【００１７】
そして、前記表示板の上面部は、図４に示すように、コ字状に形成して設けた蓋体（４）で覆い、収納室に水や埃が侵入し難くされている。又、表示板の下部左右の前面側と背面側の上下には、表示板が円滑に上下移動するよう、ガイドローラー（ＧＲ）（ＧＲ）（ＧＲ）（ＧＲ）がそれぞれ軸着され、且つ、表示板の下部一端には、コ字状に形成して設けた水平ガイド（８'）（８'）がそれぞれ設けられ、且つ、表示板の下端他端には、バー本体の一端を軸支する為のブラケット（７）が設けられ、且つ、表示板の下端部左右上下の前面部・背面部（８か所）には、上下移動を円滑に行う為、ガイドローラー（ＧＲ）（ＧＲ），（ＧＲ）（ＧＲ），（ＧＲ）（ＧＲ），（ＧＲ）（ＧＲ）がそれぞれ軸着されている。そして、該蓋体（４）の上部中央部には、注意喚起用の回転灯（ＰＬ）が設けられている。
【００１８】
次に、前記表示板を収納する収納室について説明すると、まず、収納室の形状・大きさは、表示板の大きさ及び運搬車両の大きさに適合した矩形状の箱体を形成して設け、且つ、該収納室の下部一端側には、コ字状の水平ガイドが前後にそれぞれ設けられ、且つ、他端側には、バー本体（３ｂ）の一端（Ｄ）を軸支する為のブラケット（７'）が設けられている。
【００１９】
次に、表示板（１）を上下移動させるための駆動手段（３）について説明すると、駆動手段（３）は、図１（Ｂ）に示すように、交叉して設けた２本のバー本体（３ａ）（３ｂ）と、動力源（３ｃ）から成り、バー本体（３ａ）（３ｂ）は、それぞれ長さ方向の中途に設けた軸で回動可能に軸着され、一のバー本体（３ａ）の一端（Ａ）は、収納室（２）底部設けた水平ガイド（６）内を移動可能に軸支して設け、他端（Ｂ）は表示板（１）の下端の一端に設けたブラケット（７）部に軸着し、固定されたコ字状スライダーガイド（８）の水平ガイド（８'）に移動可能に軸支して設け、他端は収納部・他端に設けたブラケット（７'）部に軸着され、シリンダーである動力源（３ｃ）は、その一端を、一のバー本体（３ａ）の一端部に軸支し、他端を、二のバー本体（３ｂ）における他端（Ｄ）と、軸（５）との、ほぼ中途に軸着したものである。
【００２０】
又、前記動力源（３ｃ）であるシリンダーの油圧源は運搬用車両本体（Ｘ）であるトラックのＰＴＯ回路から油圧ホースを介して操作用バルブに接続され、更に、操作用バルブから油圧ホースで油圧シリンダーに接続されている。そして、操作用バルブを操作する事で、表示板の上下移動をさせるもので、図６は表示板を上昇時の右後方斜視図を示し、図７は表示板を収納時の右後方斜視図を示す。
【産業上の利用可能性】
【００２１】
この考案の昇降式車載表示板装置は、作業効率が良く、工事現場の作業スペースが広く確保出来、且つ、工事現場の移動もスムーズに出来、更に、どこからでも良く見えて通行車両の安全確保が可能であるため、産業上の利用可能性を有する。
【符号の説明】
【００２２】
１  表示板
２  収納室
３  駆動手段
３ａ  バー本体
３ｂ  バー本体
３ｃ  動力源
４  蓋体
５  軸
６  水平ガイド
７  ブラケット
８  Ｌ字状スライダーガイド
Ａ  一端
Ｂ  他端
Ｃ  一端
Ｄ  他端
ＧＲ  ガイドローラー
ＰＬ  注意喚起用回転灯
Ｙ  上下移動寸法
【図１】
0003198659.tif 000003
【図２】
0003198659.tif 000004
【図３】
0003198659.tif 000005
【図４】
0003198659.tif 000006
【図５】
0003198659.tif 000007
【図６】
0003198659.tif 000008
【図７】
0003198659.tif 000009
【手続補正書】
【提出日】平成27年5月11日(2015.5.11)
【手続補正１】
【補正対象書類名】実用新案登録請求の範囲
【補正対象項目名】請求項１
【補正方法】変更
【補正の内容】
【請求項１】
車両本体（Ｘ）の荷台に搭載され、表示板（１）と、該表示板を収納する収納室（２）と、駆動手段（３）からなる表示板装置であって、注意喚起を促す文字又は記号を表示する表示板（１）は、使用時には収納室（２）より上昇して設け、不用時には収納室（２）内に収納するよう設け、該表示板（１）を昇降させる駆動手段（３）は、収納室（２）内に設けたことを特徴とする昇降式車載表示板装置。
【手続補正２】
【補正対象書類名】実用新案登録請求の範囲
【補正対象項目名】請求項３
【補正方法】変更
【補正の内容】
【請求項３】
前記駆動手段（３）は、交叉して設けた２本のバー本体（３ａ）（３ｂ）と、動力源（３ｃ）からなり、バー本体（３ａ）（３ｂ）は、それぞれ長さ方向の中途に設けた軸（５）で回動可能に軸着され、一のバー本体（３ａ）の一端（Ａ）は、収納室（２）底部に設けた水平ガイド（６）内を移動可能に軸支して設け、他端（Ｂ）は表示板（１）底部の一端に設けたブラケット（７）部に軸着され、二のバー本体（３ｂ）の一端（Ｃ）は、表示板（１）の下端の一端に位置し、固定されたコ字状スライダーガイド（８）の水平ガイド（８'）に移動可能に軸支して設け、他端は収納部底部・他端に軸着され、シリンダーである動力源（３ｃ）は、その一端を、一のバー本体（３ａ）の一端部に設けたブラケット部に軸支し、他端を、二のバー本体（３ｂ）における他端（Ｄ）と、軸（５）との、ほぼ中途に軸着したことを特徴とする請求項１記載の昇降式車載表示板装置。